(57)【要約】【課題】汎用の配線器具のユニットをそのまま用いながらも、遮断器の機能を付加することができる遮断器ユニット、およびそれを備えた配線器具を提供する。【解決手段】遮断器ユニット１は、配線用差込接続器のアウトレットとなるコンセントユニット２と別体に構成され、コンセントユニット２と共に施工面１００に取り付けられて配線器具１０を構成する。この遮断器ユニット１は、遮断機能部と、遮断機能部を収納した器体１２とを有している。遮断機能部は、電源とコンセントユニット２との間に接続され、異常電流を検出して当該異常電流が流れたときに電源とコンセントユニット２との間の電路を遮断する。器体１２は、施工面１００に取り付けられコンセントユニット２を保持する取付部材３によって保持されるように構成されている。【選択図】図１
2015011780.tif 000002
【特許請求の範囲】
【請求項１】
配線用差込接続器のアウトレットとなるコンセントユニットと別体に構成され、前記コンセントユニットと共に施工面に取り付けられる遮断器ユニットであって、
電源と前記コンセントユニットとの間に接続され、異常電流を検出して当該異常電流が流れたときに前記電源と前記コンセントユニットとの間の電路を遮断する遮断機能部と、
前記遮断機能部を収納した器体とを有し、
前記器体は、前記施工面に取り付けられ前記コンセントユニットを保持する取付部材によって保持されるように構成されている
ことを特徴とする遮断器ユニット。
【請求項２】
前記取付部材は、複数種類から選択され、当該種類ごとに異なる形状の前記コンセントユニットを保持するように構成されており、
前記器体は、前記複数種類の前記取付部材にて保持されるように構成されている
ことを特徴とする請求項１に記載の遮断器ユニット。
【請求項３】
前記遮断機能部は、前記電路を遮断した状態から復旧する際に操作されるリセット釦と、前記コンセントユニットが電気的に接続される端子部とを有し、
前記リセット釦は、前記器体の前面から露出する位置に設けられ、
前記端子部は、前記器体の背面から露出する位置に設けられており、
前記器体は、前記前面を前記コンセントユニットにおけるプラグ挿入口が形成された面と同じ向きに向けて前記取付部材に保持されるように構成されている
ことを特徴とする請求項１または２に記載の遮断器ユニット。
【請求項４】
前記遮断機能部は、前記器体の前記前面側から視認可能となる位置に設けられ前記異常電流の有無を表示する表示部をさらに有する
ことを特徴とする請求項３に記載の遮断器ユニット。
【請求項５】
前記遮断機能部は、前記電路に挿入された接点と、前記電源と前記コンセントユニットとの間を流れる電流に基づいて漏電の発生を検知する検知部と、前記検知部で漏電が検知されたときに前記接点を開放する駆動部とを有する
ことを特徴とする請求項１〜４のいずれか１項に記載の遮断器ユニット。
【請求項６】
請求項１〜５のいずれか１項に記載の遮断器ユニットと、前記コンセントユニットとを備える
ことを特徴とする配線器具。
【発明の詳細な説明】
【技術分野】
【０００１】
本発明は、配線用差込接続器のアウトレットとなるコンセントユニットと共に用いられる遮断器ユニット、およびそれを備えた配線器具に関する。
【背景技術】
【０００２】
従来から、差込プラグ接続部を備えたコンセントユニットと、遮断機構部を備えたブレーカユニットとを組み合わせて構成される埋込型のコンセントが提案されている（たとえば特許文献１参照）。差込プラグ接続部は負荷機器の差込プラグが接続され、遮断機構部は遮断信号を受けると開閉接点を開離して差込プラグ接続部への電源供給（電路）を遮断する。
【０００３】
特許文献１に記載のコンセントは、コンセントユニットとブレーカユニットとを組み合わせることで、ＪＩＳ規格（日本工業規格）で規格化された大角型連用配線器具の取付枠に取付可能な寸法（３個モジュール寸法）に形成される。または、コンセントユニットとブレーカユニットとを収納する収納ケース、あるいはコンセントユニットとブレーカユニットとが組み付けられるカバーが、取付枠に取付可能な寸法に形成される。
【０００４】
また、特許文献１には、コンセントユニットの異常を検出するとブレーカユニットに遮断信号を出力する異常検出回路を具備するアンプユニットが組み合わされることも記載されている。特許文献１に記載のコンセントでは、トラッキング、過負荷、漏電等を検出する検出部と、検出部からの信号により異常を検出して遮断信号を出力する異常検出回路とがコンセントユニットあるいはアンプユニットに設けられている。ブレーカユニットは、遮断器の機能を持ち、コンセントユニットあるいはアンプユニットからの遮断信号を受け、異常時に遮断機構部によって電路を遮断する。
【先行技術文献】
【特許文献】
【０００５】
【特許文献１】特開２００７−４２４０７号公報
【発明の概要】
【発明が解決しようとする課題】
【０００６】
しかし、特許文献１に記載のコンセントでは、取付枠に取付可能な寸法および形状に形成された汎用の配線器具のユニット（コンセント）をそのままコンセントユニットして用いることはできず、専用のコンセントユニットを用いる必要がある。
【０００７】
すなわち、コンセントユニットは、ブレーカユニットと組み合わされる場合には、ブレーカユニットと結合するための手段が必要となるので、汎用の配線器具のユニットをそのまま用いることはできない。コンセントユニットは、ブレーカユニットと共に収納ケースに収納される場合やカバーに組み付けられる場合であっても、収納ケースに収納可能あるいはカバーに組付可能となるように構造の変更が必要であるから、汎用のユニットを用いることはできない。とくに、コンセントユニットに検出部や異常検出回路を設ける場合には、汎用の配線器具のユニットからの大幅な変更が必要となる。
【０００８】
本発明は上記事由に鑑みて為されたものであって、汎用の配線器具のユニットをそのまま用いながらも、遮断器の機能を付加することができる遮断器ユニット、およびそれを備えた配線器具を提供することを目的とする。
【課題を解決するための手段】
【０００９】
本発明の遮断器ユニットは、配線用差込接続器のアウトレットとなるコンセントユニットと別体に構成され、前記コンセントユニットと共に施工面に取り付けられる遮断器ユニットであって、電源と前記コンセントユニットとの間に接続され、異常電流を検出して当該異常電流が流れたときに前記電源と前記コンセントユニットとの間の電路を遮断する遮断機能部と、前記遮断機能部を収納した器体とを有し、前記器体は、前記施工面に取り付けられ前記コンセントユニットを保持する取付部材によって保持されるように構成されていることを特徴とする。
【００１０】
この遮断器ユニットにおいて、前記取付部材は、複数種類から選択され、当該種類ごとに異なる形状の前記コンセントユニットを保持するように構成されており、前記器体は、前記複数種類の前記取付部材にて保持されるように構成されていることが望ましい。
【００１１】
この遮断器ユニットにおいて、前記遮断機能部は、前記電路を遮断した状態から復旧する際に操作されるリセット釦と、前記コンセントユニットが電気的に接続される端子部とを有し、前記リセット釦は、前記器体の前面から露出する位置に設けられ、前記端子部は、前記器体の背面から露出する位置に設けられており、前記器体は、前記前面を前記コンセントユニットにおけるプラグ挿入口が形成された面と同じ向きに向けて前記取付部材に保持されるように構成されていることがより望ましい。
【００１２】
この遮断器ユニットにおいて、前記遮断機能部は、前記器体の前記前面側から視認可能となる位置に設けられ前記異常電流の有無を表示する表示部をさらに有することがより望ましい。
【００１３】
この遮断器ユニットにおいて、前記遮断機能部は、前記電路に挿入された接点と、前記電源と前記コンセントユニットとの間を流れる電流に基づいて漏電の発生を検知する検知部と、前記検知部で漏電が検知されたときに前記接点を開放する駆動部とを有することがより望ましい。
【００１４】
本発明の配線器具は、上記いずれかの遮断器ユニットと、前記コンセントユニットとを備えることを特徴とする。
【発明の効果】
【００１５】
本発明の遮断器ユニットは、コンセントユニットと別体であって、コンセントユニットと共に施工面に取り付けられる構成において、器体が、施工面に取り付けられコンセントユニットを保持する取付部材によって保持されるように構成されている。したがって、コンセントユニットとして汎用の配線器具のユニットをそのまま用いながらも、遮断器の機能を付加することができる、という利点がある。
【図面の簡単な説明】
【００１６】
【図１】実施形態１に係る配線器具の取付状態を示す正面図である。
【図２】実施形態１に係る遮断器ユニットを示す概略斜視図である。
【図３】実施形態１に係る遮断器ユニットの内部構成を示す概略ブロック図である。
【図４】実施形態１に係る配線器具を示す概略背面図である。
【図５】実施形態１に係る配線器具の取付状態を示す正面図である。
【図６】実施形態１の変形例に係る配線器具の取付状態を示す正面図である。
【図７】実施形態２に係る配線器具の取付状態を示す正面図である。
【図８】実施形態２の変形例に係る配線器具の取付状態を示す正面図である。
【発明を実施するための形態】
【００１７】
（実施形態１）
本実施形態に係る遮断器ユニット１は、図１に示すように、配線用差込接続器のアウトレットとなるコンセントユニット２と別体に構成され、コンセントユニット２と共に施工面１００に取り付けられる。
【００１８】
この遮断器ユニット１は、遮断機能部１１（図３参照）と、遮断機能部１１を収納した器体１２とを有している。遮断機能部１１は、電源（図示せず）とコンセントユニット２との間に接続され、異常電流を検出して当該異常電流が流れたときに前記電源とコンセントユニット２との間の電路１１０（図３参照）を遮断する。
【００１９】
器体１２は、施工面１００に取り付けられコンセントユニット２を保持する取付部材３によって保持されるように構成されている。
【００２０】
また、本実施形態に係る配線器具１０は、上記構成の遮断器ユニット１と、コンセントユニット２とを備えている。なお、配線器具１０は取付部材３を含んでいてもよい。
【００２１】
ここにおいて、配線器具１０は、コンセントユニット２として、汎用の配線器具のユニット（コンセント）をそのまま用いている。本実施形態では、コンセントユニット２は、日本や米国などで使用されているＡタイプの配線用差込接続器のコンセント（アウトレット）である場合を例として説明するが、この例に限らず、Ａタイプ以外のコンセントをコンセントユニット２として用いてもよい。
【００２２】
また、本実施形態では、住宅等の建造物における壁面を施工面１００とし、配線器具１０は、少なくとも後部が壁内に埋め込まれるようにして施工面１００に取り付けられる埋込型の配線器具である場合を例とする。ただし、施工面１００は壁面に限らず、たとえば天井面や什器の表面などであってもよい。
【００２３】
以下、本実施形態の配線器具１０の構成について詳しく説明する。
【００２４】
遮断器ユニット１は、図２に示すように直方体状に形成された器体１２を有し、この器体１２内に電源−コンセントユニット２間の電路を遮断する遮断機能部１１（図３参照）を有している。器体１２は、合成樹脂製であって、その前面１２１には後述のリセット釦１１１およびテスト釦１１２を露出させる孔が形成され、その背面１２２（図４参照）には後述の端子部１１３，１１５（図４参照）を露出させる孔が形成されている。さらに、器体１２の前面１２１には、後述の表示部１１４を器体１２の前面１２１側から視認可能とするための表示窓１２３が形成されている。
【００２５】
本実施形態においては、取付部材３（図１参照）はＪＩＳ（日本工業規格）で規格化されている大角形連用配線器具の取付枠であって、器体１２は、この取付部材３に保持されるように構成されている。具体的には、取付部材３に３個まで取付可能な配線器具の寸法を１個モジュール寸法としたときに、器体１２は、１個モジュール寸法の配線器具を縦方向（器体１２の前面１２１の長手方向）に２個並べた寸法、形状に形成されている。さらに、器体１２は、取付部材３に保持されるための手段（係合部）として、前面１２１の短手方向の両側面に突起１２４を４個ずつ有している。
【００２６】
遮断機能部１１は、図３に示すように、コンセントユニット２が電気的に接続される端子部としての第１の端子部１１３と、電源に接続される第２の端子部１１５と、第１の端子部１１３−第２の端子部１１５間に挿入された接点１１６とを有している。つまり、遮断機能部１１は、電源とコンセントユニット２との間の電路１１０上に接点１１６を有しており、この接点１１６を開放する（開く）ことによって電路１１０を遮断する。
【００２７】
本実施形態においては、遮断機能部１１は、検知部１１７と駆動部１１８とを有している。検知部１１７は、電源とコンセントユニット２との間を流れる電流に基づいて漏電の発生を検知するように構成されている。図３の例では、検知部１１７は、電路１１０に設けられた零相変流器１１９に接続されており、零相変流器１１９の二次出力を受けて漏電の発生を検知する。駆動部１１８は、検知部１１７で漏電が検知されたときに通電されるトリップコイル（図示せず）を有し、トリップコイルの通電時に接点１１６を開放するように構成された機構を持つ。
【００２８】
上記構成の遮断機能部１１は、正常時（漏電の非発生時）には、零相変流器１１９の二次出力がゼロであるから駆動部１１８が動作せず、接点１１６が閉じた状態にある。一方、漏電が発生すると、遮断機能部１１は、検知部１１７が零相変流器１１９の二次出力（誘起電圧）を受けて駆動部１１８のトリップコイルを励磁し、これにより駆動部１１８が接点１１６を開放するように動作する。したがって、遮断機能部１１は、電源とコンセントユニット２との間を流れる電流に基づいて漏電の発生を検知し、漏電の発生時に電源とコンセントユニット２との間の電路１１０を遮断しコンセントユニット２への電力供給を遮断する。
【００２９】
さらにまた、本実施形態の遮断機能部１１は、リセット釦１１１とテスト釦１１２と表示部１１４とを有している。
【００３０】
リセット釦１１１は、遮断機能部１１が電路１１０を遮断した状態から復旧する際にユーザによって操作される。つまり、遮断機能部１１は、接点１１６を開いた状態でリセット釦１１１が押操作されることにより、接点１１６が閉じた定常状態に復旧する。テスト釦１１２は、接点１１６が閉じた定常状態において、遮断機能部１１の動作確認を行う際にユーザによって操作される。遮断機能部１１は、定常状態でテスト釦１１２が押操作されると、漏電と同様の状態を強制的に作り出すので、漏電時における遮断機能部１１の動作が正常であれば接点１１６が開くことになる。
【００３１】
表示部１１４は、器体１２の前面１２１側から視認可能となる位置に設けられ、異常電流の有無を表示する。すなわち、表示部１１４は、器体１２の前面１２１に露出するように形成された表示窓１２３の後方に設けられ、その表示状態が表示窓１２３を通して視認可能となる。表示窓１２３が表示部１１４に含まれていてもよい。
【００３２】
ここでは、表示部１１４は、たとえばＬＥＤ（発光ダイオード）などの発光素子を具備し、定常状態では点灯し、検知部１１７で漏電が検知されたときに消灯することで、ユーザに対して漏電の発生を視覚的に報知する。遮断機能部１１は、表示部１１４が消灯している状態でリセット釦１１１が操作されることにより、接点１１６が閉じるだけでなく表示部１１４が点灯する。なお、表示部１１４は、点灯と消灯とを切り替えることによって漏電の発生を報知する構成に限らず、たとえば発光色を切り替えることによって漏電の発生を報知する構成であってもよい。
【００３３】
遮断器ユニット１は、図４に示すように、器体１２の背面１２２に、第１の端子部１１３および第２の端子部１１５を露出させる孔が形成されている。すなわち、端子部１１３，１１５は、器体１２の背面の孔を通して電線が接続される。第１の端子部１１３は、コンセントユニット２の器体２１の背面２１２に露出した端子部２２に第１の電線４１によって電気的に接続され、第２の端子部１１５は、第２の電線４２によって分電盤（分岐ブレーカ）に電気的に接続される。
【００３４】
ここで、各端子部１１３，１１５，２２は、鎖錠用のばね（図示せず）を有し、電線の先端部が挿入されるだけで、ばねにより電線との電気的接続および電線の機械的保持（抜け止め）を行ういわゆる速結端子である。なお、図４では、コンセントユニット２が接地極付きの３極コンセントであるため、第１および第２の各端子部１１３，１１５がいずれも３極を１組とした端子部からなる。
【００３５】
一方、コンセントユニット２は、図１に示すように、１個モジュール寸法に形成された汎用の配線器具のユニット（コンセント）である。コンセントユニット２は、１個モジュール寸法の器体２１を有し、配線用差込接続器の差込プラグ（図示せず）が接続される図示しない差込プラグ接続部（刃受ばね）を器体２１内に収納して構成されている。
【００３６】
このコンセントユニット２は、差込プラグの栓刃が挿入されるプラグ挿入口２４が器体２１の前面２１１に複数形成されており、器体２１内の各プラグ挿入口２４に対応する位置に差込プラグ接続部を有している。なお、ここではコンセントユニット２が接地極付きの３極コンセントであるため、図１の例ではプラグ挿入口２４は３個１組で形成されている。
【００３７】
ところで、上記構成の遮断器ユニット１は、図１および図５に示すように、取付部材３を用いてコンセントユニット２と共に施工面１００に取り付けられ、コンセントユニット２と共に配線器具１０を構成する。
【００３８】
ここで、遮断器ユニット１およびコンセントユニット２は、いずれも一般的な埋込型の配線器具と同様に、取付部材（取付枠）３を用いて施工面１００に取り付けられる。なお、図１は取付部材３に後述の化粧プレート５が装着されていない状態を表しており、図５は取付部材３に化粧プレート５が装着された状態を表している。
【００３９】
本実施形態に係る配線器具１０は、図１に示すように、施工面１００に開口した施工孔１０１に後部を埋め込む形で施工面１００に取り付けられる。このとき、遮断器ユニット１の器体１２は、前面１２１をコンセントユニット２におけるプラグ挿入口２４が形成された面（前面２１１）と同じ向きに向けて取付部材３に保持されるように構成されている。
【００４０】
取付部材３は、上述した１個モジュール寸法の配線器具を３個まで取付可能な３個用（１連タイプ）の取付枠である。取付部材３は、合成樹脂製であって、縦方向に延びた左側辺３１および右側辺３２と、左側辺３１および右側辺３２の上端部同士を連結する上側辺３３と、左側辺３１および右側辺３２の下端部同士を連結する下側辺３４とで矩形枠状に形成されている。
【００４１】
左側辺３１と右側辺３２との各々には、器体１２の両側面に４個ずつ形成された突起１２４が嵌る２個１組の係合孔（図示せず）が３組ずつ設けられている。さらに、右側辺３２は、左側辺３１との距離を広げる向きに変形可能な撓み片３６が形成されている。
【００４２】
そのため、遮断器ユニット１は、左側辺３１の係合孔に突起１２４を嵌めた状態で、取付部材３の後方から前方に押し込まれることにより、撓み片３６を撓ませながら右側辺３２の係合孔にも突起１２４を嵌めることができる。これにより、遮断器ユニット１は、器体１２の両側面に４個ずつ形成された突起１２４が左側辺３１および右側辺３２の各２組の係合孔に嵌って、取付部材３に保持されることになる。
【００４３】
また、汎用の配線器具のユニットであるコンセントユニット２は、器体２１の両側面に２個ずつ形成された突起２３が左側辺３１および右側辺３２の各１組の係合孔に引っ掛かることで、取付部材３に保持される。つまり、コンセントユニット２も、遮断器ユニット１と同様の取付構造により取付部材３に取り付けられ、取付部材３に保持される。
【００４４】
なお、図１および図５の例では、配線器具１０は、取付部材３において１個モジュール寸法の配線器具を取り付け可能な３箇所（上段、中段、下段）のうち下段にコンセントユニット２、上段および中段に遮断器ユニット１が取り付けられている。ただし、遮断器ユニット１とコンセントユニット２との位置関係はこの例に限らず、たとえばコンセントユニット２が上段、遮断器ユニット１が中段および下段に取り付けられてもよい。
【００４５】
取付部材３は、上側辺３３および下側辺３４にそれぞれ長孔３７が形成されている。取付部材３は、壁裏であって施工孔１０１に対応する位置に配置されているスイッチボックス（図示せず）に対し、長孔３７を通した固定ねじ（図示せず）を締め付けることにより固定される。このようにして取付部材３がスイッチボックスに固定されて施工面１００に取り付けられることにより、取付部材３に保持されている配線器具（遮断器ユニット１およびコンセントユニット２）１０は施工面１００に取り付けられる。
【００４６】
また、取付部材３は、上側辺３３および下側辺３４にそれぞれねじ孔３８が形成されており、その前面側に、これらのねじ孔３８を用いて化粧プレート５が装着される。化粧プレート５は、図５に示すように、少なくとも施工孔１０１の開口周縁を覆い隠すように配線器具１０の前面の周囲を覆っており、これにより配線器具１０の見映えがよくなる。ここで、化粧プレート５は、取付部材３にねじ止めされるプレート枠とプレート枠の前面に装着されるプレートカバーとの２部材からなる。
【００４７】
なお、コンセントユニット２は、器体２１の前面２１１が化粧プレート５の前面と略面一となるように、施工面１００から前方に飛び出した状態で取付部材３に保持されている。遮断器ユニット１も同様に、器体１２の前面１２１が化粧プレート５の前面（およびコンセントユニット２の器体２１の前面２１１）と略面一となるように、施工面１００から前方に飛び出した状態で取付部材３に保持されている。
【００４８】
以上説明した本実施形態の遮断器ユニット１は、コンセントユニット２と別体であって、コンセントユニット２と共に施工面１００に取り付けられる構成において、器体１２が取付部材３によって保持されるように構成されている。取付部材３は、施工面１００に取り付けられコンセントユニット２を保持する部材である。この構成によれば、コンセントユニット２として汎用の配線器具のユニット（コンセント）をそのまま用いながらも、遮断器の機能を付加することができる。
【００４９】
すなわち、遮断器ユニット１は、コンセントユニット２を施工面１００に取り付けるための取付部材３を用いて、コンセントユニット２と一緒に施工面１００に取り付けられることになる。そのため、汎用のユニットをとくに構造変更することなくそのままコンセントユニット２として用いた場合でも、遮断器ユニット１は、このコンセントユニット２と共に取付部材３により施工面１００に取付可能である。コンセントユニット２として汎用の配線器具のユニットをそのまま用いることで、結果的に、配線器具のユニットの品種を少なく抑えることができ、品種の増加による生産効率の低下を抑制できる。
【００５０】
また、上記実施形態のように、遮断機能部１１は、電路１１０を遮断した状態から復旧する際に操作されるリセット釦１１１と、コンセントユニット２が電気的に接続される端子部１１３とを有していることが望ましい。この場合、リセット釦１１１は、器体１２の前面１２１から露出する位置に設けられ、端子部１１３は、器体１２の背面１２２から露出する位置に設けられている。そして、器体１２は、前面１２１をコンセントユニット２におけるプラグ挿入口２４が形成された面（前面２１１）と同じ向きに向けて取付部材３に保持されるように構成されている。
【００５１】
この構成によれば、遮断器ユニット１は、施工面１００に取り付けられた状態で、リセット釦１１１がプラグ挿入口２４と同じく器体１２の前面１２１側に位置するので、施工面１００から取り外すことなくリセット釦１１１を操作可能となる。また、遮断器ユニット１は、端子部１１３が器体１２の背面１２２側に位置するので、施工面１００に取り付けられた状態では、コンセントユニット２と接続するための第１の電線４１を隠すことができる。
【００５２】
さらにこの場合において、上記実施形態のように、遮断機能部１１は、器体１２の前面１２１側から視認可能となる位置に設けられ異常電流の有無を表示する表示部１１４をさらに有することが望ましい。この構成によれば、遮断器ユニット１は、施工面１００に取り付けられた状態で、表示部１１４がプラグ挿入口２４と同じく器体１２の前面１２１側から視認可能となるので、施工面１００から取り外すことなく表示部１１４の表示を確認可能となる。
【００５３】
遮断機能部１１は、電路１１０に挿入された接点１１６と、電源とコンセントユニット２との間を流れる電流に基づいて漏電の発生を検知する検知部１１７と、検知部１１７で漏電が検知されたときに接点１１６を開放する駆動部１１８とを有することが望ましい。この構成によれば、遮断器ユニット１を付加することで、配線器具１０は、漏電の発生時にコンセントユニット２への電力供給を自動的に遮断することができる。
【００５４】
また、図６は、本実施形態の変形例を示している。この変形例では、遮断器ユニット１は、上述した３個用（１連タイプ）の取付枠を横方向に２つ並べた２連タイプの取付枠からなる取付部材３（図１参照）を用いて、施工面１００（図１参照）に取り付けられている。この取付部材３は、１個モジュール寸法の配線器具を３個まで取付可能な３個用（１連タイプ）の取付枠を左右方向に２個並べて結合したような形状であり、左右一対の取付スペースを有している。
【００５５】
図６の例では、遮断器ユニット１は、１個モジュール寸法の第１のコンセントユニット２Ａと共に左側の取付スペースに取り付けられている。右側の取付スペースには、１個モジュール寸法の配線器具を縦方向に３個並べた寸法、形状の第２のコンセントユニット２Ｂが取り付けられている。第２のコンセントユニット２Ｂは、３個１組のプラグ挿入口２４が２組設けられた２口のコンセントである。
【００５６】
遮断器ユニット１は、このように複数のコンセントユニット２Ａ，２Ｂと共に施工面１００に取り付けられ、これら複数のコンセントユニット２Ａ，２Ｂと共に配線器具１０を構成するような使い方も可能である。この場合、遮断器ユニット１は、配線器具１０を構成する一部のコンセントユニットへの電力供給を遮断するように接続されていてもよいし、全てのコンセントユニットへの電力供給を遮断するように接続されていてもよい。
【００５７】
（実施形態２）
本実施形態の配線器具１０は、コンセントユニット２が、英国などで使用されているＢＳタイプ（ここではＢＳ１３６３を例とする）の配線用差込接続器のコンセント（アウトレット）である点で実施形態１の配線器具１０と相違する。以下、実施形態１と同様の構成については共通の符号を付して適宜説明を省略する。
【００５８】
本実施形態では、コンセントユニット２は、図７に示すように、取付部材３を用いて施工面１００に取り付けられる。取付部材３は、実施形態１のようにＪＩＳで規格化されている大角形連用配線器具の取付枠とは異なり、汎用の配線器具のユニット（コンセント）をたとえばねじで取り付けることによって保持する。コンセントユニット２は、汎用の配線器具のユニットと同様に、たとえばねじで取付部材３に取り付けられることによって取付部材３に保持される。なお、図７の例では、コンセントユニット２への通電をオンオフするスイッチ６が設けられており、このスイッチ６も、コンセントユニット２と共に取付部材３に保持されている。
【００５９】
本実施形態に係る遮断器ユニット１は、その器体１２が取付部材３にて保持されることにより、コンセントユニット２と共に施工面１００に取り付けられ、コンセントユニット２と共に配線器具１０を構成する。ここで、取付部材３は、コンセントユニット２と同様の取付構造により遮断器ユニット１が取り付けられてもよいが、取付部材３への遮断器ユニット１の取付構造は特に限定されない。たとえば、遮断器ユニット１の器体１２の前面１２１が露出する大きさの開口を取付部材３に形成し、器体１２の前端部を開口に挿入した状態で器体１２が開口周縁に接着されていてもよい。
【００６０】
このように、取付部材３は、複数種類から選択され、当該種類ごとに異なる形状（規格）のコンセントユニット２を保持するように構成されている。遮断器ユニット１の器体１２は、複数種類の取付部材３にて保持されるように構成されている。
【００６１】
以上説明した本実施形態の構成によれば、遮断器ユニット１は、複数種類の取付部材３に対応することができる。したがって、配線用差込接続器のコンセント（アウトレット）として異なる形状（規格）が採用されている国間であっても、遮断器ユニット１としては共通の遮断器ユニット１を用いることができる。その結果、遮断器ユニット１の品種を少なく抑えることができ、品種の増加による生産効率の低下を抑制できる。
【００６２】
また、図８は、本実施形態の変形例を示している。この変形例では、１つの取付部材３にコンセントユニット２Ａとコンセントユニット２Ｂとが取り付けられている。なお、図８では、コンセントユニット２Ａへの通電をオンオフするスイッチ６Ａと、コンセントユニット２Ｂへの通電をオンオフするスイッチ６Ｂとが別々に設けられている。
【００６３】
遮断器ユニット１は、このように複数のコンセントユニット２Ａ，２Ｂと共に施工面１００に取り付けられ、これら複数のコンセントユニット２Ａ，２Ｂと共に配線器具１０を構成するような使い方も可能である。この場合、遮断器ユニット１は、配線器具１０を構成する一部のコンセントユニットへの電力供給を遮断するように接続されていてもよいし、全てのコンセントユニットへの電力供給を遮断するように接続されていてもよい。
【００６４】
その他の構成および機能は実施形態１と同様である。
【符号の説明】
【００６５】
１  遮断器ユニット
１１  遮断機能部
１１１  リセット釦
１１３  端子部
１１４  表示部
１１６  接点
１１７  検知部
１１８  駆動部
１２  器体
１２１  前面
１２２  背面
２，２Ａ，２Ｂ  コンセントユニット
２４  プラグ挿入口
３  取付部材
１０  配線器具
１００  施工面
【図１】
2015011780.tif 000003
【図２】
2015011780.tif 000004
【図３】
2015011780.tif 000005
【図４】
2015011780.tif 000006
【図５】
2015011780.tif 000007
【図６】
2015011780.tif 000008
【図７】
2015011780.tif 000009
【図８】
2015011780.tif 000010